(57)【特許請求の範囲】
【請求項１】
被測定物を採取して前記被測定物の成分を分析し、その測定結果を表示部に表示するとともに、測定手順および測定結果を音声により告知する測定装置において、
前記測定手順および測定結果についての音声による告知の内容として複数のレベルのものを設け、その複数のレベルの告知内容のうちいずれか１つを音声として出力する構成とし、
前記音声として出力する測定手順および測定結果の告知内容のレベルを、使用者が手動で切り換えるためのスライドスイッチと、
前記スライドスイッチの各スライド位置に、前記音声として出力する測定手順および測定結果の告知内容のレベルを示す突起をそれぞれ設けたことを特徴とする測定装置。
【請求項２】
被測定物を採取して前記被測定物の成分を分析し、その測定結果を表示部に表示するとともに、測定手順および測定結果を音声により告知する測定装置において、
前記測定手順および測定結果についての音声による告知の内容として複数のレベルのものを設け、その複数のレベルの告知内容のうちいずれか１つを音声として出力する構成とし、
前記音声として出力する測定手順および測定結果の告知内容のレベルを、使用者が手動で切り換えるための回転スイッチと、
この回転スイッチの操作部に、前記音声として出力する測定手順および測定結果の告知内容のレベルに対応して数が異なる突起を設けたことを特徴とする測定装置。
【発明の詳細な説明】
【０００１】
【発明の属する技術分野】
本発明は、種々の生体試料中の特定成分を高精度で、迅速かつ容易に定量することのできるバイオセンサに好適なバイオセンサ測定装置に関し、特に測定手順、測定結果を音声で告知する測定装置に関する。
【０００２】
【従来の技術】
図７及び図８にバイオセンサを用いたバイオセンサ測定装置の一例を示す。測定装置１にはバイオセンサ２を挿入するためのセンサ挿入口３、各種操作を行うための操作ボタン４、測定結果ならびに時刻等の各種情報を表示する表示部５が設けられている。裏面には電池６の収納部７が設けられ、裏蓋８によって電池６を接点９に押し付けた状態で固定する。
【０００３】
測定装置１内部にはバイオセンサ２によって得られた被検液（試料）の電気抵抗値を被検液の特性値（例えば血糖値）に変換する変換手段と、その特性値を記憶する記憶手段と、前記記憶手段に格納されている値や測定によって得られた特性値をもとに平均値算出等の各種演算を行う演算手段とからなる測定部（非図示）、表示部５を制御する表示制御手段が形成されたプリント基板（非図示）、および測定装置内の各手段を制御する制御手段が設けられている。なお、制御手段としては例えばマイコンが挙げられる。
【０００４】
バイオセンサ２は図９に示すように、基板１０の表面に対極１１および測定極１２、それらに連なるリード１３および１４、さらに絶縁層１５が設けられ、対極１１と測定極１２を覆うように酵素およびメディエータ（電子受容体）を含有する反応層（図示せず）が形成されている。そして、この基板１０の表面を、測定極１２に相応する部位に空気孔となるＵ状の切欠部１６を形成したスペーサ１７と、スペーサ１７の切欠部１６に連絡する試料供給孔１８を形成したカバー１９とで順次覆い、基板１０、スペーサ１７、カバー１９の３者を互いに固定することにより構成されている。２０は測定装置への装着端であり、２０ａは測定装置へのバイオセンサ２の逆挿入を防止するために設けられた突起部である。したがって、この装着端２０を測定装置へ装着した状態で試料供給孔１８に被検液（試料）を滴下すると、被検液は毛管現象により対極１１および測定極１２の上に導かれ、対極１１および測定極１２の上の空気は切欠部１６を通じてスペーサ１７の側方へ排出される。
【０００５】
上記のような構成のバイオセンサ測定装置１では、測定後、変換手段によって求められた特性値が表示部５上に表示される。しかしながら、測定結果の出力は表示部５による表示のみによって行われるため、例えば使用者が弱視者の場合は、その表示を確認することが困難であるという問題があった。
【０００６】
この問題への対応として、図１０に示すような測定装置１００が考案されている。この測定装置１００は表面に表示部５とは別に音声出力部２１を設けており、この測定装置１００内部には前記測定部、表示制御手段、および制御手段の他に、特性値や各種情報を音声によって告知する音声出力手段（非図示）が設けられている。この音声出力手段は、前記制御手段の制御に基づいて測定手順および測定結果の内容を音声により告知する、すなわち音声ガイダンスを行う手段である。
【０００７】
図１１は、音声出力部２１を有する測定装置１００による従来の音声ガイダンスの流れを示すフロー図である。従来の音声ガイダンスでは、測定装置１００にバイオセンサが差し込まれると（ステップＳ１１０）、測定装置１００はブザー音を出し（ステップＳ１１１）、さらに、『現在、機械の補正番号はエフ□（□に数字が入るに設定されています。センサの補正番号を確認して下さい』（ステップＳ１１２）、『測定を開始して下さい』と発声する（ステップＳ１１３）。次に、測定装置１００は、被検液がバイオセンサ２の試料供給孔１８に接触したかどうかを判断し（ステップＳ１１４）、被検液がバイオセンサ２の試料供給孔１８に接触したと判断すると、『測定がはじまりました。しばらくお待ち下さい』と発声する（ステップＳ１１５）。しかし、被検液がバイオセンサ２の試料供給孔１８に接触しない間、測定装置１００は待機状態となり１０秒毎に『測定を開始して下さい』を発声する（ステップＳ１１６）。測定が始まると測定終了までの時間を『あと２０秒です』（ステップＳ１１７）、『あと１０秒です』（ステップＳ１１８）、『あと５秒です』（ステップＳ１１９）、と発声し、測定が終了すると、『測定値は□（□に数字が入る）ミリグラムです』（ステップＳ１２０）、『測定は終了しました』（ステップＳ１２１）と発声する。なお、ここで、被検液がバイオセンサ２の試料供給孔１８に接触したかどうかの判断は、制御手段が行う。
【０００８】
【発明が解決しようとする課題】
しかしながら、従来の測定装置の音声出力手段から告知される音声ガイダンスでは、慣れてくると必要なガイダンス以外は使用者にとってうるさく感じられることがあり、また、音声を出力していると、使用者は他の人に測定していることを知られてしまうというプライバシーの問題もあった。さらに、すべての音声ガイダンスの内容を告知すると電池寿命が短くなるという問題もあった。
【０００９】
よって、本発明では、使用者の慣れに応じた音声ガイダンスを告知する測定装置を提供することを目的とする。
【００１０】
【課題を解決するための手段】
上記課題を解決するために、本発明の請求項１に記載の測定装置は、被測定物を採取して前記被測定物の成分を分析し、その測定結果を表示部に表示するとともに、測定手順および測定結果を音声により告知する測定装置において、前記測定手順および測定結果についての音声による告知の内容として複数のレベルのものを設け、その複数のレベルの告知内容のいずれかを音声として出力する構成とし、前記音声として出力する測定手順および測定結果の告知内容のレベルを、使用者が手動で切り換えるためのスライドスイッチと、前記スライドスイッチの各スライド位置に、前記音声として出力する測定手順および測定結果の告知内容のレベルを示す突起をそれぞれ設けたことを特徴とする。
【００１４】
本発明の請求項２に記載の測定装置は、被測定物を採取して前記被測定物の成分を分析し、その測定結果を表示部に表示するとともに、測定手順および測定結果を音声により告知する測定装置において、前記測定手順および測定結果についての音声による告知の内容として複数のレベルのものを設け、その複数のレベルの告知内容のうちいずれか１つを音声として出力する構成とし、前記音声として出力する測定手順および測定結果の告知内容のレベルを、使用者が手動で切り換えるための回転スイッチと、この回転スイッチの操作部に、前記音声として出力する測定手順および測定結果の告知内容のレベルに対応して数が異なる突起を設けたことを特徴とする。
【００１９】
【発明の実施の形態】
（実施の形態１）
本発明の実施の形態について図１から図４を使って具体的に説明する。
本実施の形態１による測定装置は告知する音声ガイダンスの内容を複数のレベルに分け、複数に分けたレベルを手動または自動により切り換えることを特徴とする。
【００２０】
以下、本実施の形態１では、測定装置が、告知する音声ガイダンスの内容を４つのレベルに分ける場合を例に挙げて説明する。
図１は、本実施の形態１に係る測定装置の斜視図を示す図である。なお、従来の測定装置１００と同一構成要素については同一の符号を付し説明を省略する。また、測定装置１０００の内部には、測定装置１００と同様に、変換手段、記憶手段、および演算手段からなる測定部と、表示制御手段と、制御手段とが設けられているものとして説明する。
【００２１】
図１において、測定装置１０００は、スライドスイッチ２２を設け、そのスイッチにより使用者が音声ガイダンスのレベルを手動で切り換えることができるものである。なお、測定装置１０００に設けられるスイッチは、図２に示すような回転スイッチ２４であっても良い。
【００２２】
また、測定装置１０００は、測定結果を告知した回数に応じて告知する音声ガイダンスのレベルを自動的に切り換えることができるものでもある。
【００２３】
図３は、音声ガイダンスのレベルを４つに分ける場合の音声ガイダンスのレベルの切り換えを示すフロー図である。
図３において、測定装置１０００は、測定が開始されると（ステップＳ３０）、まず、告知する音声ガイダンスのレベルが第４のレベルかどうかを判断する（ステップＳ３１）。そして、第４のレベルであれば、測定装置１０００は、測定中には音声ガイダンスを発声しないようにし（ステップＳ３２）、第４のレベルでなければ、音声ガイダンスのレベルがどのレベルなのかを判断する（ステップＳ３３）。次に、測定装置１０００は、音声ガイダンスのレベルを第１のレベルと判断した場合は、第１のレベルの音声ガイダンスを発声し（ステップＳ３４）、第２のレベルと判断した場合は、第２のレベルで音声ガイダンスを発声し（ステップＳ３５）、第３のレベルと判断した場合は、第３のレベルで音声ガイダンスを発声する（ステップＳ３６）。
【００２４】
なお、測定装置１０００は、音声ガイダンスのレベルを第１のレベルと判断した場合、従来例と同様に図１１に示す音声ガイダンスの内容を告知するので、ここでの説明は省略する。
【００２５】
図４に、測定装置１０００が告知する第２のレベルの音声ガイダンスを示す。まず、測定装置１０００にバイオセンサ２が差し込まれると（ステップＳ４０）、測定装置１０００はブザー音を出し（ステップＳ４１）、『現在、機械の補正番号はエフ□（□に数字が入る）に設定されています。』と発声する（ステップＳ４２）。次に、測定装置１０００は、被検液がバイオセンサ２の試料供給孔１８に接触したかどうかを判断して（ステップＳ４３）、被検液がバイオセンサ２の試料供給孔１８に接触したと判断すると、ブザー音を出す（ステップＳ４５）。しかし、被検液がバイオセンサ２の試料供給孔１８に接触しない間は、測定装置１０００は待機状態となり１０秒毎にブザー音２回を出す（ステップＳ４４）。測定が終了すると、『測定値は□（□に数字が入る）ミリグラムです』と発声して（ステップＳ４６）、音声ガイダンスの告知を終了する。
【００２６】
図５に、測定装置１０００が告知する第３のレベルの音声ガイダンスを示す。まず、測定装置１０００にバイオセンサ２が差し込まれると（ステップＳ５０）と、測定装置１０００はブザー音を出す（ステップＳ５１）。次に、測定装置１０００は被検液がバイオセンサ２の試料供給孔１８に接触したかどうかを判断して（ステップＳ５２）、被検液がバイオセンサ２の試料供給孔１８に接触したと判断すると、ブザー音を出す（ステップＳ５３）。しかし、被検液がバイオセンサ２の試料供給孔１８に接触しない間は、測定装置１０００は待機状態となり１０秒毎にブザー音２回を出す（ステップＳ５４）。測定が終了すると、『□（□に数字が入る）ミリグラム』と発声して（ステップＳ５５）、音声ガイダンスの告知を終了する。
【００２７】
以上のように分けられる第１のレベルから第４のレベルの音声ガイダンスを手動で切り換える場合は、測定装置１０００に設けられたスライドスイッチ２２または回転スイッチ２４により切り換える。測定装置１０００にスライドスイッチ２２を設ける場合は、その各スライド位置に音声ガイダンスのレベルを示す複数の突起２３を設けることで指の感触により音声ガイダンスがどのレベルにあるか認識できるようにする。また、測定装置１０００に回転スイッチ２４を設ける場合は、その表面に音声ガイダンスのレベルによってその数が異なる突起２５を設けるようにする。例えば、第２のレベルであれば突起２５を２個設けるようにし、その数によって音声ガイダンスがどのレベルにあるかを指の感触で認識し易いようにする。以上のようなスライドスイッチ２２または回転スイッチ２４により使用者が音声ガイダンスのレベルを切り換えると測定装置１０００内の制御手段が、切り換えられたレベルの音声ガイダンスを音声出力手段が行うように制御する。なお、切り換えられた音声ガイダンスのレベルの種類は、図１に示すように測定装置１０００の表示部５に測定結果とともに表示される。さらに、切り換えられた音声ガイダンスのレベルの種類を音声出力部２１から音声により告知するようにしても良い。
【００２８】
図６に音声ガイダンスのレベルを自動的に切り換える場合のフロー図を示す。この場合は、測定装置１０００内部に設けられた記憶手段により測定結果の告知回数を記憶し、前記制御手段がその記憶手段に記憶されている告知回数に従って前記音声出力手段から告知される音声ガイダンスのレベルを切り換える。なお、ここでは、測定結果の告知回数は、上述の特性値を記憶する記憶手段に記憶する。図６に示すように、測定装置１０００は測定が開始されると（ステップＳ６０）、測定結果の告知回数がｍ回以下かどうか判断し（ステップＳ６１）、ｍ回以下ならば、音声ガイダンスのレベルを第１のレベルとする（ステップＳ６２）。また、ｍ回よりも多い場合は、測定結果の告知回数がｎ回以下かどうか判断し（ステップＳ６３）、ｎ回以下ならば音声ガイダンスのレベルを第２のレベルとする（ステップＳ６４）。また、ｎ回よりも多い場合は音声ガイダンスのレベルを第３レベルとする（ステップＳ６５）。なお、ここでmとnの値はｎ＞ｍの関係である。また、ｍとｎの値は任意に設定される値であり、あらかじめ測定装置に設定するようにしても、使用者の意図に従って切り換えるようにしても良い。以上のようにして切り換えられた音声ガイダンスのレベルの種類は、手動でレベルを切り換える時と同様に表示部５に測定結果とともに表示される。さらに、切り換えられた音声ガイダンスのレベルの種類を音声出力部２１から音声により告知するようにしても良い。
【００２９】
また、測定装置１０００が自動的に音声ガイダンスのレベルを切り換える場合、測定装置１０００内部に設けられた記憶手段により電源がＯＮされてからの経過時間を記憶するようにして、前記制御手段がその時間に基づいて、音声ガイダンスのレベルを切り換えるようにしても良い。その場合、制御手段は電源がＯＮされてからの経過時間が、ある所定の時間より長いかどうかを判断し、その判断結果に基づいて音声ガイダンスのレベルを切り換える。
【００３０】
以上のように本実施の形態１による測定装置によれば、スイッチの切り換えや測定結果の告知回数によって測定手順および測定結果の告知を異なったレベルで音声出力するようにしたことから、使用者の慣れに応じた音声ガイダンスを提供することができる。
【００３１】
【発明の効果】
本発明の測定装置によれば、被測定物を採取して前記被測定物の成分を分析し、その測定結果を表示部に表示するとともに、測定手順および測定結果を音声により告知する測定装置において、前記測定手順および測定結果についての音声による告知の内容として複数のレベルのものを設け、その複数のレベルの告知内容のうちいずれか１つを音声として出力する構成とし、前記音声として出力する測定手順および測定結果の告知内容のレベルを、使用者が手動で切り換えるためのスライドスイッチと、前記スライドスイッチの各スライド位置に、前記音声として出力する測定手順および測定結果の告知内容のレベルを示す突起をそれぞれ設けるようにしたことから、使用者がスイッチの切換えや測定結果の告知回数に応じて測定手順および測定結果の告知を異なったレベルで音声により告知することができ、また突起によって、弱視者や装置の取り扱いに不慣れな者でも確実な測定手順や、測定結果の認識ができる。
【００３５】
また、本発明の測定装置によれば、被測定物を採取して前記被測定物の成分を分析し、その測定結果を表示部に表示するとともに、測定手順および測定結果を音声により告知する測定装置において、前記測定手順および測定結果についての音声による告知の内容として複数のレベルのものを設け、その複数のレベルの告知内容のうちいずれか１つを音声として出力する構成とし、前記音声として出力する測定手順および測定結果の告知内容のレベルを、使用者が手動で切り換えるための回転スイッチと、この回転スイッチの操作部に、前記音声として出力する測定手順および測定結果の告知内容のレベルに対応して数が異なる突起を設けるようにしたことから、使用者が音声により告知される測定手順および測定結果の内容のレベルの種類を前記突起の数により認識でき、弱視者であっても、使用中のレベルを簡単に認識できる。
【図面の簡単な説明】
【図１】本発明の実施の形態１に係るスライドスイッチを設けた測定装置の斜視図である。
【図２】本発明の実施の形態１に係る測定装置に設けられた回転スイッチを示す図である。
【図３】本発明の実施の形態１に係る測定装置における音声ガイダンスレベルの切り換えフロー図である。
【図４】本発明の実施の形態１に係る測定装置が告知する第２レベルの音声ガイダンスを示すフロー図である。
【図５】本発明の実施の形態１に係る測定装置が告知する第３レベルの音声ガイダンスを示すフロー図である。
【図６】本発明の実施の形態１に係る測定装置が告知する音声ガイダンスを自動的に切り換える場合のフロー図である。
【図７】従来の測定装置の斜視図である。
【図８】従来の測定装置の裏面の斜視図である。
【図９】バイオセンサの分解斜視図である。
【図１０】従来の音声ガイダンスを行う測定装置の斜視図である。
【図１１】従来の測定装置が告知する音声ガイダンスおよび本発明の実施の形態１に係る測定装置が告知する第１のレベルの音声ガイダンスを示すフロー図である。
【符号の説明】
１，１００，１０００  測定装置
２  バイオセンサ
３  センサ挿入口
４  操作ボタン
５  表示部
６  電池
７  電池収納部
８  裏蓋
９  接点
１０  基板
１１  対極
１２  測定極
１３，１４  リード
１５  絶縁層
１６  切欠部
１７  スペーサ
１８  試料供給孔
１９  カバー
２０  装着端
２１  音声出力部
２２  スライドスイッチ
２３  スライドスイッチ用突起
２４  回転スイッチ
２５  回転スイッチ用突起
【図１】
0004688365.tif 000002
【図２】
0004688365.tif 000003
【図３】
0004688365.tif 000004
【図４】
0004688365.tif 000005
【図５】
0004688365.tif 000006
【図６】
0004688365.tif 000007
【図７】
0004688365.tif 000008
【図８】
0004688365.tif 000009
【図９】
0004688365.tif 000010
【図１０】
0004688365.tif 000011
【図１１】
0004688365.tif 000012